(57)【要約】【課題】  より安定したハンドオーバを実現し、品質の向上を図ることが可能な無線通信システムを提供する。【解決手段】  無線基地局１−１，１−２及び移動機２はセクタ間合成を行う場合、各無線リンクＲＬ１〜ＲＬ３毎にＴＰＣビットの制御と送信電力制御とを行う。無線基地局１−１，１−２及び移動機２はＴＰＣビットの制御と送信電力制御とが行えない場合、セクタ間合成をしてＴＰＣビットを取出す際に品質の良い無線リンクに優先的な重み付けを行い、ＴＰＣビットを合成して取出す。無線基地局１−１，１−２及び移動機２はＢＥＲが悪くなった状況で、ＴＰＣビットが連続して同じ値を示した時に送信電力の制御を行う。無線基地局１−１，１−２及び移動機２は品質がある一定値より悪くなった場合、現在の送信電力の平均値を参照値としてＰｏｗｅｒ  Ｂａｌａｎｃｉｎｇ機能を動作させる。【選択図】      図２                                                  
2005184708.tif 000002
【特許請求の範囲】
【請求項１】
複数の無線基地局と移動機との間において複数の無線リンクが存在し、それら複数の無線リンクをセクタ間合成する場合に合成されたリンクで同一の送信電力制御を行う無線通信システムであって、前記セクタ間合成にてＤＰＣＨ（Ｄｅｄｉｃａｔｅｄ  Ｐｈｙｓｉｃａｌ  Ｃｈａｎｎｅｌ）のＢＥＲ（Ｂｉｔ  Ｅｒｒｏｒ  Ｒａｔｉｏ）測定とＴＰＣ（Ｔｒａｎｓｍｉｔ  Ｐｏｗｅｒ  Ｃｏｎｔｒｏｌ）ビットの取得とを前記複数の無線リンク毎に行う手段と、前記ＢＥＲ測定及び前記ＴＰＣビットの取得の結果を基に前記送信電力制御と前記ＴＰＣビットの制御とを行う手段とを前記複数の無線基地局及び前記移動機各々に有することを特徴とする無線通信システム。
【請求項２】
前記ＴＰＣビットの取得と前記送信電力制御とを行えない時に前記セクタ各々の受信レベルと前記ＢＥＲとを測定する手段と、前記ＢＥＲの測定結果にしたがって前記無線リンクに重み付けを行う手段と、その重み付けを行った無線リンクにて前記セクタ間合成を行いかつ前記ＴＰＣビットを取出して送信電力制御を行う手段とを前記複数の無線基地局及び前記移動機各々に含むことを特徴とする請求項１記載の無線通信システム。
【請求項３】
前記ＢＥＲが悪くなりかつ前記ＴＰＣビットが連続して同じ値を示した時に前記送信電力制御を行う手段を前記複数の無線基地局及び前記移動機各々に含むことを特徴とする請求項２記載の無線通信システム。
【請求項４】
前記ＤＰＣＨにおいて予め設定された追加固定ビットをパイロット部とは別途設け、前記追加固定ビットによって他の固定的に決定されるビットに対して前記ＢＥＲを計算して取得することを特徴とする請求項１から請求項３のいずれか記載の無線通信システム。
【請求項５】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式のシステムであることを特徴とする請求項１から請求項３のいずれか記載の無線通信システム。
【請求項６】
移動機との間において複数の無線リンクが存在し、それら複数の無線リンクをセクタ間合成する場合に合成されたリンクで同一の送信電力制御を行う無線基地局であって、前記セクタ間合成にてＤＰＣＨ（Ｄｅｄｉｃａｔｅｄ  Ｐｈｙｓｉｃａｌ  Ｃｈａｎｎｅｌ）のＢＥＲ（Ｂｉｔ  Ｅｒｒｏｒ  Ｒａｔｉｏ）測定とＴＰＣ（Ｔｒａｎｓｍｉｔ  Ｐｏｗｅｒ  Ｃｏｎｔｒｏｌ）ビットの取得とを前記複数の無線リンク毎に行う手段と、前記ＢＥＲ測定及び前記ＴＰＣビットの取得の結果を基に前記送信電力制御と前記ＴＰＣビットの制御とを行う手段とを有することを特徴とする無線基地局。
【請求項７】
前記ＴＰＣビットの取得と前記送信電力制御とを行えない時に前記セクタ各々の受信レベルと前記ＢＥＲとを測定する手段と、前記ＢＥＲの測定結果にしたがって前記無線リンクに重み付けを行う手段と、その重み付けを行った無線リンクにて前記セクタ間合成を行いかつ前記ＴＰＣビットを取出して送信電力制御を行う手段とを含むことを特徴とする請求項６記載の無線基地局。
【請求項８】
前記ＢＥＲが悪くなりかつ前記ＴＰＣビットが連続して同じ値を示した時に前記送信電力制御を行う手段を含むことを特徴とする請求項７記載の無線基地局。
【請求項９】
前記ＤＰＣＨにおいて予め設定された追加固定ビットをパイロット部とは別途設け、前記追加固定ビットによって他の固定的に決定されるビットに対して前記ＢＥＲを計算して取得することを特徴とする請求項６から請求項８のいずれか記載の無線基地局。
【請求項１０】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の無線通信システムに用いられることを特徴とする請求項６から請求項９のいずれか記載の無線基地局。
【請求項１１】
複数の無線基地局との間において複数の無線リンクが存在し、それら複数の無線リンクをセクタ間合成する場合に合成されたリンクで同一の送信電力制御が行われる移動機であって、前記セクタ間合成にてＤＰＣＨ（Ｄｅｄｉｃａｔｅｄ  Ｐｈｙｓｉｃａｌ  Ｃｈａｎｎｅｌ）のＢＥＲ（Ｂｉｔ  Ｅｒｒｏｒ  Ｒａｔｉｏ）測定とＴＰＣ（Ｔｒａｎｓｍｉｔ  Ｐｏｗｅｒ  Ｃｏｎｔｒｏｌ）ビットの取得とを前記複数の無線リンク毎に行う手段と、前記ＢＥＲ測定及び前記ＴＰＣビットの取得の結果を基に前記送信電力制御と前記ＴＰＣビットの制御とを行う手段とを有することを特徴とする移動機。
【請求項１２】
前記ＴＰＣビットの取得と前記送信電力制御とを行えない時に前記セクタ各々の受信レベルと前記ＢＥＲとを測定する手段と、前記ＢＥＲの測定結果にしたがって前記無線リンクに重み付けを行う手段と、その重み付けを行った無線リンクにて前記セクタ間合成を行いかつ前記ＴＰＣビットを取出して送信電力制御を行う手段とを含むことを特徴とする請求項１１記載の移動機。
【請求項１３】
前記ＢＥＲが悪くなりかつ前記ＴＰＣビットが連続して同じ値を示した時に前記送信電力制御を行う手段を含むことを特徴とする請求項１２記載の移動機。
【請求項１４】
前記ＤＰＣＨにおいて予め設定された追加固定ビットをパイロット部とは別途設け、前記追加固定ビットによって他の固定的に決定されるビットに対して前記ＢＥＲを計算して取得することを特徴とする請求項１１から請求項１３のいずれか記載の移動機。
【請求項１５】
Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式の無線通信システムに用いられることを特徴とする請求項１１から請求項１４のいずれか記載の移動機。
【請求項１６】
複数の無線基地局と移動機との間において複数の無線リンクが存在する無線通信システムで、それら複数の無線リンクをセクタ間合成する場合に合成されたリンクで同一の送信電力制御を行う送信電力制御方法であって、前記複数の無線基地局及び前記移動機各々の側に、前記セクタ間合成にてＤＰＣＨ（Ｄｅｄｉｃａｔｅｄ  Ｐｈｙｓｉｃａｌ  Ｃｈａｎｎｅｌ）のＢＥＲ（Ｂｉｔ  Ｅｒｒｏｒ  Ｒａｔｉｏ）測定とＴＰＣ（Ｔｒａｎｓｍｉｔ  Ｐｏｗｅｒ  Ｃｏｎｔｒｏｌ）ビットの取得とを前記複数の無線リンク毎に行うステップと、前記ＢＥＲ測定及び前記ＴＰＣビットの取得の結果を基に前記送信電力制御と前記ＴＰＣビットの制御とを行うステップとを有することを特徴とする送信電力制御方法。
【請求項１７】
前記複数の無線基地局及び前記移動機各々の側に、前記ＴＰＣビットの取得と前記送信電力制御とを行えない時に前記セクタ各々の受信レベルと前記ＢＥＲとを測定するステップと、前記ＢＥＲの測定結果にしたがって前記無線リンクに重み付けを行うステップと、その重み付けを行った無線リンクにて前記セクタ間合成を行いかつ前記ＴＰＣビットを取出して送信電力制御を行うステップとを含むことを特徴とする請求項１６記載の送信電力制御方法。
【請求項１８】
前記複数の無線基地局及び前記移動機各々の側に、前記ＢＥＲが悪くなりかつ前記ＴＰＣビットが連続して同じ値を示した時に前記送信電力制御を行うステップを含むことを特徴とする請求項１７記載の送信電力制御方法。
【請求項１９】
前記ＤＰＣＨにおいて予め設定された追加固定ビットをパイロット部とは別途設け、前記追加固定ビットによって他の固定的に決定されるビットに対して前記ＢＥＲを計算して取得することを特徴とする請求項１６から請求項１８のいずれか記載の送信電力制御方法。
【請求項２０】
前記無線通信システムがＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式のシステムであることを特徴とする請求項１６から請求項１９のいずれか記載の送信電力制御方法。
【発明の詳細な説明】
【技術分野】
【０００１】
本発明は無線通信システム、無線基地局、移動機及びそれらに用いる送信電力制御方法に関し、特にＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）方式においてセクタ間ハンドオーバ時の送信電力制御及びデータ合成の方法に関する。
【背景技術】
【０００２】
従来、この種の送信電力制御方法においては、複数の無線リンクが存在し、それら複数の無線リンクをセクタ間合成する場合に、合成されたリンクで同一の送信電力制御を行う方法がとられている。
【０００３】
上記と同様な送信電力制御方法としては、ＴＰＣ（Ｔｒａｎｓｍｉｔ  Ｐｏｗｅｒ  Ｃｏｎｔｒｏｌ）ビットの冗長性と，軟判定及び硬判定とを基にＴＰＣビットを取得する方法（例えば、特許文献１参照）、複数パスの合成においてＳＩＲ（Ｓｉｇｎａｌ  ｔｏ  Ｉｎｔｅｒｆｅｒｅｎｃｅ  ｐｏｗｅｒ  Ｒａｔｉｏ）を考慮して送信電力制御を行う方法（例えば、特許文献２参照）、ＳＩＲを基にソフトハンドオーバ中の送信電力制御を行う方法（例えば、特許文献３参照）、共通パイロットと個別パイロットとによって伝搬路を推定し、その推定値から補正計算してＲＡＫＥ合成を行う方法（例えば、特許文献４参照）がある。
【０００４】
また、他の送信電力制御方法としては、パイロットシンボルのパターンに基づいて送信電力制御を行う方法（例えば、特許文献５参照）、目標ＳＩＲ値を受信信号の誤り率を測定して誤り率によって目標ＳＩＲを変更する方法（例えば、特許文献６参照）、品質に基づいてＴＰＣの停止またはＴＰＣの実施を行う方法（例えば、特許文献７参照）、各セクタのＳＩＲを同程度にすることで品質を向上させる方法（例えば、特許文献８参照）等がある。
【０００５】
【特許文献１】特開２００３−１１０４６０号公報
【特許文献２】特開２００２−３３０１０２号公報
【特許文献３】特開平０８−０１８５０３号公報
【特許文献４】特開２００２−１１１５７０号公報
【特許文献５】特開２０００−１１５０７２号公報
【特許文献６】再公表特許ＷＯ９７／５０１９７号公報
【特許文献７】特開２００３−１６９０１８号公報
【特許文献８】特開２０００−１６５３１９号公報
【発明の開示】
【発明が解決しようとする課題】
【０００６】
上述した従来の送信電力制御方法では、ハンドオーバ状態で品質の良い状態の無線リンクと、品質の悪い状態の無線リンクとが混在する状況で、品質の悪い無線リンクに引きずられて間違ったＴＰＣビットを合成して誤った送信電力制御を行なってしまうことで、ハンドオーバ前に安定していた無線リンクまで同期外れとなってしまうという問題がある。
【０００７】
そこで、本発明の目的は上記の問題点を解消し、より安定したハンドオーバを実現することができ、品質の向上を図ることができる無線通信システム、無線基地局、移動機及びそれらに用いる送信電力制御方法を提供することにある。
【課題を解決するための手段】
【０００８】
本発明による無線通信システムは、複数の無線基地局と移動機との間において複数の無線リンクが存在し、それら複数の無線リンクをセクタ間合成する場合に合成されたリンクで同一の送信電力制御を行う無線通信システムであって、前記セクタ間合成にてＤＰＣＨ（Ｄｅｄｉｃａｔｅｄ  Ｐｈｙｓｉｃａｌ  Ｃｈａｎｎｅｌ）のＢＥＲ（Ｂｉｔ  Ｅｒｒｏｒ  Ｒａｔｉｏ）測定とＴＰＣ（Ｔｒａｎｓｍｉｔ  Ｐｏｗｅｒ  Ｃｏｎｔｒｏｌ）ビットの取得とを前記複数の無線リンク毎に行う手段と、前記ＢＥＲ測定及び前記ＴＰＣビットの取得の結果を基に前記送信電力制御と前記ＴＰＣビットの制御とを行う手段とを前記複数の無線基地局及び前記移動機各々に備えている。
【０００９】
本発明による無線基地局は、移動機との間において複数の無線リンクが存在し、それら複数の無線リンクをセクタ間合成する場合に合成されたリンクで同一の送信電力制御を行う無線基地局であって、前記セクタ間合成にてＤＰＣＨ（Ｄｅｄｉｃａｔｅｄ  Ｐｈｙｓｉｃａｌ  Ｃｈａｎｎｅｌ）のＢＥＲ（Ｂｉｔ  Ｅｒｒｏｒ  Ｒａｔｉｏ）測定とＴＰＣ（Ｔｒａｎｓｍｉｔ  Ｐｏｗｅｒ  Ｃｏｎｔｒｏｌ）ビットの取得とを前記複数の無線リンク毎に行う手段と、前記ＢＥＲ測定及び前記ＴＰＣビットの取得の結果を基に前記送信電力制御と前記ＴＰＣビットの制御とを行う手段とを備えている。
【００１０】
本発明による移動機は、複数の無線基地局との間において複数の無線リンクが存在し、それら複数の無線リンクをセクタ間合成する場合に合成されたリンクで同一の送信電力制御が行われる移動機であって、前記セクタ間合成にてＤＰＣＨ（Ｄｅｄｉｃａｔｅｄ  Ｐｈｙｓｉｃａｌ  Ｃｈａｎｎｅｌ）のＢＥＲ（Ｂｉｔ  Ｅｒｒｏｒ  Ｒａｔｉｏ）測定とＴＰＣ（Ｔｒａｎｓｍｉｔ  Ｐｏｗｅｒ  Ｃｏｎｔｒｏｌ）ビットの取得とを前記複数の無線リンク毎に行う手段と、前記ＢＥＲ測定及び前記ＴＰＣビットの取得の結果を基に前記送信電力制御と前記ＴＰＣビットの制御とを行う手段とを備えている。
【００１１】
本発明による送信電力制御方法は、複数の無線基地局と移動機との間において複数の無線リンクが存在する無線通信システムで、それら複数の無線リンクをセクタ間合成する場合に合成されたリンクで同一の送信電力制御を行う送信電力制御方法であって、前記複数の無線基地局及び前記移動機各々の側に、前記セクタ間合成にてＤＰＣＨ（Ｄｅｄｉｃａｔｅｄ  Ｐｈｙｓｉｃａｌ  Ｃｈａｎｎｅｌ）のＢＥＲ（Ｂｉｔ  Ｅｒｒｏｒ  Ｒａｔｉｏ）測定とＴＰＣ（Ｔｒａｎｓｍｉｔ  Ｐｏｗｅｒ  Ｃｏｎｔｒｏｌ）ビットの取得とを前記複数の無線リンク毎に行うステップと、前記ＢＥＲ測定及び前記ＴＰＣビットの取得の結果を基に前記送信電力制御と前記ＴＰＣビットの制御とを行うステップとを備えている。
【００１２】
すなわち、本発明の無線通信システムは、上記課題を解決するために、セクタ間合成を行う際に、各無線リンク毎にＴＰＣ（Ｔｒａｎｓｍｉｔ  Ｐｏｗｅｒ  Ｃｏｎｔｒｏｌ）ビットの制御と送信電力制御とを行っている。この場合には、移動機も、上記と同様に、各無線リンク毎に送信電力制御可能であることが必要となる。
【００１３】
また、本発明の無線通信システムでは、上記のＴＰＣビットの制御と送信電力制御とが行えない場合、セクタ間合成をしてＴＰＣビットを取出す際に品質の良い無線リンクに優先的な重み付けを行い、ＴＰＣビットを合成して取出している。
【００１４】
さらに、本発明の無線通信システムでは、ＢＥＲ（Ｂｉｔ  Ｅｒｒｏｒ  Ｒａｔｅ）が悪くなった状況で、ＴＰＣビットが連続して同じ値を示した時に送信電力の制御を行い、ＢＥＲの測定値によって連続する回数を比例させて制御することとしている。
【００１５】
さらにまた、本発明の無線通信システムでは、品質がある一定値より悪くなった場合、現在の送信電力の平均値を参照値としてＰｏｗｅｒ  Ｂａｌａｎｃｉｎｇ機能を動作させている。これは、３ＧＰＰ（３ｒｄ  Ｇｅｎｅｒａｔｉｏｎ  Ｐａｒｔｎｅｒｓｈｉｐ  Ｐｒｏｊｅｃｔ）で規定されているＡｄｊｕｓｔｍｅｎｔ  Ｌｏｏｐ機能である。
【００１６】
これによって、本発明の無線通信システムでは、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）システムにおいて無線基地局と移動機との間でのハンドオーバ時の送信電力制御を改善することで安定したハンドオーバを行い、より品質の良い通信を行うことが可能となる。
【発明の効果】
【００１７】
本発明は、以下に述べるような構成及び動作とすることで、より安定したハンドオーバを実現することができ、品質の向上を図ることができるという効果が得られる。
【発明を実施するための最良の形態】
【００１８】
次に、本発明の実施例について図面を参照して説明する。図１は本発明の一実施例による無線通信システムの構成を示すブロック図であり、図２は本発明の一実施例による無線通信システムにおける無線リンクの形成を示す図である。
【００１９】
本発明の一実施例による無線通信システムでは、図１に示すように、複数の無線基地局１−１，１−２が管理する複数のセクタ１０１，１０２，１０３が重なるエリアＡで、図示せぬ移動機が矢印の方向に移動中（移動機でハンドオーバ時）に送信電力制御とデータ合成とを行うことを想定している。
【００２０】
この場合、本実施例では、図２に示すように、無線基地局１−１，１−２と移動機２との間で、３つの無線リンクＲＬ１，ＲＬ２，ＲＬ３によって通信が行われ、無線基地局１−１，１−２及び移動機２の各ノードで信号の合成が行われている。
【００２１】
図３は図２の無線基地局１−１，１−２及び移動機２各々の受信部の構成を示すブロック図であり、図４は図２の無線基地局１−１，１−２及び移動機２各々の送信部の構成を示すブロック図である。
【００２２】
図３において、無線基地局１−１，１−２及び移動機２各々の受信部はアンテナ１１〜１３と、復調器１４〜１６と、ＢＥＲ（Ｂｉｔ  Ｅｒｒｏｒ  Ｒａｔｅ）測定・ＴＰＣ（Ｔｒａｎｓｍｉｔ  Ｐｏｗｅｒ  Ｃｏｎｔｒｏｌ）取得部１７〜１９と、再構成・合成部２０と、ＢＥＲ比較・ＴＣＰ演算部２１とから構成されている。
【００２３】
また、図４において、無線基地局１−１，１−２及び移動機２各々の送信部はアンテナ１１〜１３（上記の受信部と兼用）と、変調部２２〜２４と、信号生成部２５と、電力制御部２６とから構成されている。
【００２４】
これら図２〜図４を参照して無線基地局１−１，１−２及び移動機２各々の受信部による受信処理及び送信部による送信処理について説明する。尚、アンテナの数等は各構成によって変化するか、本実施例では３つのアンテナ１１〜１３の例について説明する。
【００２５】
本実施例では、信号の受信時に、アンテナ１１〜１３で受信した信号を復調部１４〜１６でそれぞれ復調し、ＢＥＲ測定・ＴＰＣ取得部１７〜１９において個々にＢＥＲの測定及びＴＰＣの取得を行う。
【００２６】
尚、ＴＰＣの取得に関しては、各無線リンクＲＬ１，ＲＬ２，ＲＬ３毎に送信電力制御が行われている場合、ＢＥＲ測定・ＴＰＣ取得部１７〜１９各々で取得し、複数の無線リンクＲＬ１，ＲＬ２，ＲＬ３で同一のＴＰＣが指定されている場合、受信信号を再構成・合成部２０で合成した後に取得する（図３において、点線の矢印で図示）。
【００２７】
ＢＥＲ比較・ＴＣＰ演算部２１はＢＥＲ測定・ＴＰＣ取得部１７〜１９で各無線リンクＲＬ１，ＲＬ２，ＲＬ３毎に測定したＢＥＲに重み付けを行い、再構成・合成部２０はその結果を基に受信信号の合成を行う。
【００２８】
次に、本実施例では、信号の送信時に、電力制御部２６が上記のＢＥＲ比較・ＴＣＰ演算部２１で取得されたＴＰＣを基に得られたＴＰＣ入力にしたがって各無線リンクＲＬ１，ＲＬ２，ＲＬ３の送信電力の制御を行う。
【００２９】
また、信号生成部２５は送信データ入力を基に、各無線リンクＲＬ１，ＲＬ２，ＲＬ３毎に信号を生成する。信号生成部２５で生成された信号は変調部２２〜２４でそれぞれ変調され、アンテナ１１〜１３から送信される。
【００３０】
各無線リンクＲＬ１，ＲＬ２，ＲＬ３毎に送信電力の制御を行う場合には、各無線リンクＲＬ１，ＲＬ２，ＲＬ３各々に、各無線リンクＲＬ１，ＲＬ２，ＲＬ３の受信レベル等を基にそれぞれのＴＰＣを付加する。
【００３１】
図５は本発明の一実施例で用いる上り無線フレームの構成を示す図であり、図６は本発明の一実施例で用いる下り無線フレームの構成を示す図である。これら図５及び図６においては、現行のＷ−ＣＤＭＡに基づいたＤＰＣＨ（Ｄｅｄｉｃａｔｅｄ  Ｐｈｙｓｉｃａｌ  Ｃｈａｎｎｅｌ）の無線フレームを示している。
【００３２】
ＤＰＣＨは制御用のＤＰＣＣＨ（Ｄｅｄｉｃａｔｅｄ  Ｐｈｙｓｉｃａｌ  Ｃｏｎｔｒｏｌ  Ｃｈａｎｎｅｌ）と、データ用のＤＰＤＣＨ（Ｄｅｄｉｃａｔｅｄ  Ｐｈｙｓｉｃａｌ  Ｄａｔａ  Ｃｈａｎｎｅｌ）とからなる。ここで、ＤＰＣＣＨのＰｉｌｏｔビット及びＴＦＣＩ（Ｔｒａｎｓｐｏｒｔ  Ｆｏｒｍａｔ  Ｃｏｍｂｉｎａｔｉｏｎ  Ｉｎｄｉｃａｔｏｒ）ビットは固定的に決定される。
【００３３】
本実施例では、ＤＰＣＣＨの中に追加固定Ｂｉｔを設け、他のＤＰＣＣＨにある固定的に決定されるＢｉｔに対してＢＥＲを計算して取得する。
【００３４】
上記の図１〜図６を参照して本発明の一実施例による無線通信システムでの送信電力制御及びデータ合成について説明する。本実施例では、Ｗ−ＣＤＭＡにおいて無線基地局１−１，１−２と移動機２との間で行われる複数のセクタ１０１，１０２，１０３へハンドオーバする際に送信電力制御を行っている。また、本実施例では、無線基地局１−１，１−２及び移動機２の性能・動作によってそれぞれ適した送信電力制御を行っている。
【００３５】
無線基地局１−１，１−２間を移動機２が移動し、複数のセクタ１０１，１０２，１０３に跨って無線の送受信を行っている時にハンドオーバ状態となると、移動機２が各セクタ１０１，１０２，１０３毎に無線リンクＲＬ１，ＲＬ２，ＲＬ３を無線基地局１−１，１−２間で確立する。無線基地局１−１，１−２及び移動機２では複数の無線リンクＲＬ１，ＲＬ２，ＲＬ３からデータを合成して取出し、各無線リンクＲＬ１，ＲＬ２，ＲＬ３の送信電力の制御を行う。
【００３６】
図７は本発明の一実施例による無線通信システムの送信電力制御の処理を示すフローチャートである。これら図１〜図７を参照して本発明の一実施例による無線通信システムの送信電力制御の処理について説明する。
【００３７】
本発明の一実施例による無線通信システムは、上記の課題を解決するために、（１）セクタ間合成を行う際に、各無線リンクＲＬ１，ＲＬ２，ＲＬ３毎にＴＰＣビットの制御と送信電力制御とを行っている。この場合には、移動機２も、上記と同様に、各無線リンクＲＬ１，ＲＬ２，ＲＬ３毎に送信電力制御可能であることが必要となる。
【００３８】
また、本発明の一実施例による無線通信システムでは、（２）上記のＴＰＣビットの制御と送信電力制御とが行えない場合、セクタ間合成をしてＴＰＣビットを取出す際に品質の良い無線リンクに優先的な重み付けを行い、ＴＰＣビットを合成して取出している。
【００３９】
さらに、本発明の一実施例による無線通信システムでは、（３）ＢＥＲが悪くなった状況で、ＴＰＣビットが連続して同じ値を示した時に送信電力の制御を行い、ＢＥＲの測定値によって連続する回数を比例させて制御することとしている。
【００４０】
さらにまた、本発明の一実施例による無線通信システムでは、（４）品質がある一定値より悪くなった場合、現在の送信電力の平均値を参照値としてＰｏｗｅｒ  Ｂａｌａｎｃｉｎｇ機能を動作させている。これは、３ＧＰＰ（３ｒｄ  Ｇｅｎｅｒａｔｉｏｎ  Ｐａｒｔｎｅｒｓｈｉｐ  Ｐｒｏｊｅｃｔ）で規定されているＡｄｊｕｓｔｍｅｎｔ  Ｌｏｏｐ機能である。以下、上記の（１）〜（４）の４項目に関して説明する。
【００４１】
（１）の改善点では、ハンドオーバ時に（図７ステップＳ１）、セクタ間合成を行う場合も（図７ステップＳ２）、各無線リンクＲＬ１，ＲＬ２，ＲＬ３毎にＴＰＣビットの取得、送信するＴＰＣビットの制御と送信電力制御とを行う（図７ステップＳ３）。送信するＴＰＣビットの制御に関しては移動機２側でも同様に無線リンクＲＬ１，ＲＬ２，ＲＬ３毎に制御可能な場合とする。
【００４２】
品質の悪い状態で、ＢＥＲが悪い無線リンクではＴＰＣビットがビット誤りする可能性が高くなり、間違ったＴＰＣビットによって送信電力制御が行われないようする必要がある。
【００４３】
本実施例では、セクタ間合成する場合に、品質の良い無線リンクと品質の悪い無線リンクとを合成した後にＴＰＣビットを取出すと、ビット誤りが発生するので、品質の良い無線リンクまで誤ったＴＰＣビットによって送信電力制御が行われるのを避けなければならない。
【００４４】
本実施例において、（２）の改善点では、上記のセクタ間合成を行う際に、各無線リンクＲＬ１，ＲＬ２，ＲＬ３毎にＴＰＣビットによる送信電力制御と送信するＴＰＣビットの制御とが行えない場合（図７ステップＳ４）、セクタ間合成をしてＴＰＣビットを取出す時に品質の良い無線リンクに優先的な重み付けを行い（図７ステップＳ６，Ｓ７）、ＴＰＣビットを合成して取出して送信電力の制御を行っている（図７ステップＳ８）。
【００４５】
つまり、本実施例では、各無線リンクＲＬ１，ＲＬ２，ＲＬ３においてＢＥＲを測定し、ＢＥＲが小さい無線リンクを優先した重み付けを行って合成する。このことはＴＰＣビットの合成のみではなく、通常の通信データ（音声データ等含む）に関しても、誤りが少なく、品質の良いデータが合成可能となる。
【００４６】
本実施例では、重み付け（Ｙ）とＢＥＲ（Ｘ）とを反比例に設定している。つまり、重み付け（Ｙ）とＢＥＲ（Ｘ）とは、
Ｙ＝ａ／Ｘ＋ｂ                          ・・・（１）
という式の関係になる。ここで、係数ａ，ｂは重み付けの傾き及び補正値であり、その値は環境にしたがって調整する。
【００４７】
また、本実施例では、ＢＥＲの測定を行う際に、無線状況に適応する値を使う必要があるため、無線フレーム毎か、スロット毎のできるだけ短い時間で測定を行う必要がある。各スロット毎にＢＥＲを測定する場合には、パイロット部とは別途、追加固定ビットを数ビット設け、固定的に決定される部分のビット誤りを算出しておおよそのＢＥＲとして決定する。
【００４８】
続いて、本実施例において、（３）の改善点では、ＢＥＲが多少悪くなった状況で（図７ステップＳ６）、ＴＰＣビットが連続して同じ値を示した場合（図７ステップＳ９）、送信電力の制御を行っている（図７ステップＳ１０）。この場合には、ＢＥＲの測定値によって連続する回数を比例させて制御することとする。
【００４９】
ＢＥＲが悪い状況ではＴＰＣビットが誤る可能性があるため、連続して同じ値が検出された場合に送信電力制御を行っている。送信電力を上げる必要がある場合には、移動機３側からも連続して上げることをＴＰＣビットにて要求することになる。これによって、本実施例では、誤ったＴＰＣビットの指示にしたがって間違って送信電力制御するよりも安定した通信を行うことができる。
【００５０】
上記の制御は各無線リンクＲＬ１，ＲＬ２，ＲＬ３毎に行うことが望ましい。各無線リンクＲＬ１，ＲＬ２，ＲＬ３毎に上記の制御が行えない場合でも、上記の制御によってより安定した通信を行うことができる。
【００５１】
しかしながら、上記の制御においては、余りに冗長性をもたせて連続したＴＰＣビットの監視を行うと、送信電力制御が全く動作しない状況となるため、次の改善点の制御を行う。
【００５２】
本実施例において、（４）の改善点では、品質がある一定値より悪くなった場合（図７ステップＳ１１）、現在の送信電力の直近の１００ｍｓ間の平均値を参照値（ＤＬ  Ｒｅｆｅｒｅｎｃｅ  Ｐｏｗｅｒ）としてＰｏｗｅｒ  Ｂａｌａｎｃｉｎｇ機能を動作させている（図７ステップＳ１２）。
【００５３】
本実施例においては、ハンドオーバ状態でセクタ間合成する場合に、無線基地局１−１，１−２及び移動機２がともに各無線リンクＲＬ１，ＲＬ２，ＲＬ３毎にＴＰＣの制御、送信電力の制御、ＢＥＲ測定が可能な場合、無線リンクＲＬ１，ＲＬ２，ＲＬ３毎に各制御を行うことで、他のリンクとの合成による品質の劣化や制御の誤りを低減することができる。
【００５４】
また、本実施例では、ハンドオーバ状態でセクタ間合成する場合に、無線基地局１−１，１−２及び移動機２において、一方でも各無線リンクＲＬ１，ＲＬ２，ＲＬ３毎にＴＰＣの制御・送信電力の制御が出来ない場合、ＢＥＲの測定を各無線リンクＲＬ１，ＲＬ２，ＲＬ３毎に行い、ＢＥＲ測定値に応じて重み付けを行い、セクタ間合成を行ってＴＰＣビットを取得し、その取得したＴＰＣビットを基に送信電力の制御を行う。
【００５５】
さらに、本実施例では、ＢＥＲ測定による結果がある一定値（α）以上に劣化した場合、ＢＥＲに比例してＴＰＣビットの連続した値を検出して送信電力制御を行う。
【００５６】
さらにまた、本実施例では、ＢＥＲ測定による結果がある一定値（β）以上に劣化した場合、現在の送信電力を測定し、Ｐｏｗｅｒ  Ｂａｌａｎｃｉｎｇ機能を実行する。ＢＥＲの測定値に関してはα＜βとなる。本実施例では上記の処理（図７ステップＳ１〜Ｓ１２）を、処理が終了するまで（図７ステップＳ１３）、繰り返し行う。
【００５７】
このように、本実施例では、上記のような構成及び動作とすることで、Ｗ−ＣＤＭＡシステムにおいて無線基地局１−１，１−２と移動機２との間でのハンドオーバ時に安定したハンドオーバを行い、より品質の良い通信を行うことができる。
【００５８】
また、本実施例では、Ｗ−ＣＤＭＡシステムにおいて無線基地局１−１，１−２と移動機２との間でのハンドオーバ時に各無線リンクＲＬ１，ＲＬ２，ＲＬ３毎に送信電力制御を行うことで、他の無線リンクに引きづられて過剰に電力送信することを防ぐことができ、かつ干渉を抑えることができる。
【図面の簡単な説明】
【００５９】
【図１】本発明の一実施例による無線通信システムの構成を示すブロック図である。
【図２】本発明の一実施例による無線通信システムにおける無線リンクの形成を示す図である。
【図３】図２の無線基地局及び移動機各々の受信部の構成を示すブロック図である。
【図４】図２の無線基地局及び移動機各々の送信部の構成を示すブロック図である。
【図５】本発明の一実施例で用いる上り無線フレームの構成を示す図である。
【図６】本発明の一実施例で用いる下り無線フレームの構成を示す図である。
【図７】本発明の一実施例による無線通信システムの送信電力制御の処理を示すフローチャートである。
【符号の説明】
【００６０】
１−１，１−２  無線基地局
２  移動機
１１〜１３  アンテナ
１４〜１６  復調器
１７〜１９  ＢＥＲ測定・ＴＰＣ取得部
２０  再構成・合成部
２１  ＢＥＲ比較・ＴＣＰ演算部
２２〜２４  変調部
２５  信号生成部
２６  電力制御部
１０１，１０２，１０３  セクタ
Ａ  エリア
ＲＬ１，ＲＬ２，ＲＬ３  無線リンク
【図１】
2005184708.tif 000003
【図２】
2005184708.tif 000004
【図３】
2005184708.tif 000005
【図４】
2005184708.tif 000006
【図５】
2005184708.tif 000007
【図６】
2005184708.tif 000008
【図７】
2005184708.tif 000009